(57)【要約】  【課題】仕切り部を有し、送風機によって冷気を循環させる冷蔵庫に関して、仕切り部の部品点数を削減するとともに、送風機の取り付けが容易に確実にできるようにする。  【解決手段】外箱１３と内箱１２と発泡断熱材１４とからなる断熱箱体１５を仕切り部１６で上下に区画し、仕切り部１６は内箱１２で一体に形成され、内部に断熱材１６ｂを有し、仕切り部１６の後部に送風機２５を配置するための樹脂形成された保持部品２６を備えたことにより、仕切り部１６の部品点数を削減することができ、低コスト化が可能となる。また発泡断熱材１４を充填後に冷蔵室１７内から送風機２５を取り付けることで、取り付けが容易に確実にできるようになり、組立性が向上するとともに信頼性が高まる。【選択図】図１
2006220386.tif 000002
【特許請求の範囲】
【請求項１】
外箱と内箱と発泡断熱材とからなる断熱箱体を仕切り部材で上下に区画し形成された上部貯蔵室および下部貯蔵室と、前記下部貯蔵室内に設置された冷却器と前記冷却器の上部近傍に設置され、前記上部貯蔵室および下部貯蔵室に冷気を送風する送風機とを有し、前記仕切り部材は前記内箱で一体に形成され内部に断熱材を有し、前記仕切り部材の後部に前記送風機を配置するための樹脂形成された保持部品を備えたことを特徴とする冷蔵庫。
【請求項２】
前記保持部品は上下に開口穴および前記送風機を固定する固定部を備え、前記保持部品の前部および側部は仕切り部材の高さと略同一としたことを特徴とする請求項１に記載の冷蔵庫。
【請求項３】
前記保持部品の周縁にフランジを有し、前記仕切り部材および内箱とのシール面を形成したことを特徴とする請求項１または２に記載の冷蔵庫。
【請求項４】
前記保持部品に組み込んで送風機からの冷気を前記上部貯蔵室および下部貯蔵室へ供給するための風路構成部品を有したことを特徴とする請求項１から３のいずれか一項に記載の冷蔵庫。
【請求項５】
前記風路構成部品は発泡スチロールで構成し、前記保持部品と風路構成部品との接触面をシール面としたことを特徴とする請求項４に記載の冷蔵庫。
【請求項６】
前記保持部品は送風機から出るリード線の引っ掛け部を形成していることを特徴とする請求項１から５のいずれか一項に記載の冷蔵庫。
【発明の詳細な説明】
【技術分野】
【０００１】
本発明は、複数の貯蔵室を備え、送風機によって冷気を循環させる冷蔵庫に関するものである。
【背景技術】
【０００２】
従来、この種の冷蔵庫は、仕切り部材を別部品で構成し、送風機を冷蔵室背面または冷凍室背面の内箱に直接取り付けて構成されている。そして、送風機の取り付け面の精度を向上させるために仕切り部材を別部品で構成し、断熱材を発泡する際の治具によって抑えられるようにしていた（例えば、特許文献１参照）。
【０００３】
図４は特許文献１に記載された従来の冷蔵庫の断面図である。図４に示すように１は冷蔵庫の本体であって、内箱２と外箱３と発泡断熱材４によって断熱箱体を構成し、扉５と仕切り部６により貯蔵室７を形成している。８は冷却器であり、冷却器上方には送風機９が配置されている。また、送風機９の近傍に風路構成部品１０を配置している。
【０００４】
以上のように構成された冷蔵庫について、以下その動作について説明する。
【０００５】
送風機９は断熱材４を発泡後、内箱２に取り付けられ、冷却器の上方に設置され、配線の結束を行なう。その後、内箱２とシール部材にてシールされた風路構成部品１０を取り付けて、冷気の循環風路を構成する。
【特許文献１】特開平８−２４７６３８号公報
【発明の開示】
【発明が解決しようとする課題】
【０００６】
しかしながら、貯蔵室内容積の有効利用の点、また材料費を抑制するための部品点数削減の点から、上記従来構成では送風機の冷却器収納部への取り付けや配線作業、取り付け部品の増加などの課題が生じていた。
【０００７】
本発明は、仕切り部材を内箱にて形成し、送風機の取付け位置を仕切り部の後部にて行い、樹脂部品との安定したシール面によって構成された風路を形成することにより、部品点数を削減し材料費を抑制し、冷却器収納スペースの無効空間を減少させ、貯蔵室の容量を拡大し、使い勝手を向上させると共に作業性のよい、送風機によって冷気を循環させる冷蔵庫を提供することを目的とする。
【課題を解決するための手段】
【０００８】
上記従来の課題を解決するために、本発明の冷蔵庫は、外箱と内箱と発泡断熱材とからなる断熱箱体を仕切り部材で上下に区画し形成された上部貯蔵室および下部貯蔵室と、前記下部貯蔵室内に設置された冷却器と前記冷却器の上部近傍に設置され、前記上部貯蔵室および下部貯蔵室に冷気を送風する送風機とを有し、前記仕切り部材は前記内箱で一体に形成され内部に断熱材を有し、前記仕切り部材の後部に前記送風機を配置するための樹脂形成された保持部品を備えたものである。
【０００９】
これにより、仕切り部材の部品点数を削減することができるとともに、送風機の取り付けが容易に確実にできるようになる。
【発明の効果】
【００１０】
本発明の冷蔵庫は、仕切り部材は内箱で一体に形成され内部に断熱材を有し、仕切り部材の後部に送風機を配置するための樹脂形成された保持部品を備えたことにより、仕切り部材の部品点数を削減することができ、低コスト化が可能となる。また、送風機の取り付けが容易に確実にできるようになり、組立性が向上するとともに信頼性が高まる。
【発明を実施するための最良の形態】
【００１１】
請求項１に記載の発明は、外箱と内箱と発泡断熱材とからなる断熱箱体を仕切り部材で上下に区画し形成された上部貯蔵室および下部貯蔵室と、前記下部貯蔵室内に設置された冷却器と前記冷却器の上部近傍に設置され、前記上部貯蔵室および下部貯蔵室に冷気を送風する送風機とを有し、前記仕切り部材は前記内箱で一体に形成され内部に断熱材を有し、前記仕切り部材の後部に前記送風機を配置するための樹脂形成された保持部品を備えたものであり、仕切り部材の部品点数を削減することができ、低コスト化が可能となる。また、送風機の取り付けが容易に確実にできるようになり、組立性が向上するとともに信頼性が高まる。
【００１２】
請求項２に記載の発明は、請求項１に記載の発明において、前記保持部品は上下に開口穴および前記送風機を固定する固定部を備え、前記保持部品の前部および側部は仕切り部材の高さと略同一としたものであり、冷却器室内に送風機を収納する必要がなく、送風機の分だけ冷却器の占有スペースを小さくすることができ、その分貯蔵室の内容積を大きくすることができる。また、仕切り部高さも従来より低く設定することができ、仕切り部高さを設定する際の設計自由度が高まる。
【００１３】
請求項３に記載の発明は、請求項１または２に記載の発明において、前記保持部品の周縁にフランジを有し、前記仕切り部材および内箱とのシール面を形成したものであり、発泡断熱材充填時に仕切り部材とのシールを容易に確実に安価に行うことができる。
【００１４】
請求項４に記載の発明は、請求項１から３のいずれか一項に記載の発明において、前記保持部品に組み込んで送風機からの冷気を前記上部貯蔵室および下部貯蔵室へ供給するための風路構成部品を有したものであり、各貯蔵室への風路構成のための省スペース化が可能となり、さらに貯蔵室の内容積を大きくすることができる。
【００１５】
請求項５に記載の発明は、請求項４に記載の発明において、前記風路構成部品は発泡スチロールで構成し、前記保持部品と風路構成部品との接触面をシール面としたものであり、シール面が発泡圧によって影響を受けず、平面を確保することができ、安定した冷却性能および組立作業性を実現することができる。
【００１６】
請求項６に記載の発明は、請求項１から５のいずれか一項に記載の発明において、前記保持部品は送風機から出るリード線の引っ掛け部を形成するものであり、これによってリード線が送風機に巻き込まれるというようなことを防止するとともに、保持部品と一体で形成することにより、組立の簡略化、部品点数の削減を実現することができる。
【００１７】
以下、本発明の実施の形態について、図面を参照しながら説明する。なお、この実施の形態によって、この発明が限定されるものではない。
【００１８】
（実施の形態１）
図１は本発明の実施の形態１における冷蔵庫の断面図である。図２は同実施の形態の冷蔵庫の要部断面図である。図３は同実施の形態の冷蔵庫の要部斜視図である。
【００１９】
図１から図３において、１１は冷蔵庫本体であって、樹脂製の内箱１２と鋼板製の外箱１３の間に発泡断熱材１４を充填し断熱箱体１５を形成している。そして、内箱１２は上部に冷蔵室１７、下部に冷凍室１８、冷蔵室１７と冷凍室１８を仕切る仕切り部１６を一体に真空成形している。そして、仕切り部１６の前面には鋼板製の仕切板１６ａを有し、仕切り部１６の内部には発泡スチロールで構成した断熱材１６ｂを備えている。
【００２０】
また、仕切り部１６の内部に配置する断熱材１６ｂの後部には、冷蔵室１７と冷凍室１８にそれぞれ開口した凹部１６ｃを有し、送風機２５を固定するための樹脂形成された保持部品２６を上方から凹部１６ｃに組み込んでいる。そして、保持部品２６の内部には、上下に開口穴２９および交流式送風機２５を固定する固定部２５ａを備えることで、仕切り部１６の後方に送風機取付空間３０を確保することができる。また、送風機取付空間３０は保持部品２６の強度は高いため、発泡断熱材１４の充填時に治具を配置しなくても発泡の圧力による変形を抑えることができる。また、保持部品２６の前部および側部は仕切り部１６の高さと略同一としている。
【００２１】
また、保持部品２６の上下周縁にはフランジ２６ａを有し、凹部１６ｃにおいて仕切り部１６および内箱１２とのシール面を形成している。
【００２２】
また、冷蔵室１７の前面開口部にはヒンジ式の冷蔵室扉１９を形成し、冷凍室１８の前面開口部には引き出し式の冷凍室扉２０を形成している。また、冷却器室２１は冷凍室１８後方に形成された冷却器２２を収納し、冷却器２２の下方に設置された除霜装置２３も収納している。冷凍室１８と冷却器室２１は冷却室カバー２４によって仕切られている。
【００２３】
また、保持部品２６の上方より組み込んで送風機２５からの冷気を冷蔵室１７と冷凍室１８へ供給するための風路構成部品２７を有し、風路構成部品２７は発泡スチロールで構成し、保持部品２６と風路構成部品２７との接触面をシール面３２としている。
【００２４】
また、保持部品２６の固定部２５ａの下方には冷却器室２１に連通する吸込穴３１が設けられ、送風機２５の吸込口となっている。
【００２５】
また、保持部品２６には送風機２５から出るリード線を引っ掛けて固定する引っ掛け部３３を形成している。
【００２６】
なお、仕切り部１６の内部に発泡スチロールで構成した断熱材１６ｂと凹部１６ｃに保持部品２６を組み込んだ状態で、樹脂製の内箱１２と鋼板製の外箱１３との間に発泡断熱材１４を充填する。そして、そのあと送風機２５を冷蔵室１７側からビスにて固定部２５ａに固定し、風路構成部品２７を上方より組み込む。さらに冷蔵室１７の前方から冷蔵室風路構成部品２８ａと２８ｂを取り付けて冷蔵室風路を構成する。また、冷凍室１８の奥面の冷却器室２１に除霜装置２３、冷却器２２を配置し前方より冷却室カバー２４を取り付けて冷凍室１８の冷凍室風路を構成する。
【００２７】
上記構成により、冷却器２２で生成された冷気は送風機２５から風路構成部品２７内で上下に分配され、冷蔵室風路および冷凍室風路を通り、冷蔵室１７と冷凍室１８を所定の温度に冷却される。
【００２８】
そして、外箱１３と内箱１２と発泡断熱材１４とからなる断熱箱体１５を仕切り部１６で上下に区画し上部に形成された冷蔵室１７および下部に形成された冷凍室１８と、冷凍室１８内に設置された冷却器２２と冷却器２２の上部近傍に設置され、冷蔵室１７および冷凍室１８に冷気を送風する送風機２５とを有し、仕切り部１６は内箱１２で一体に形成され、内部に断熱材１６ｂを有し、仕切り部１６の後部に送風機２５を配置するための樹脂形成された保持部品２６を備えたことにより、仕切り部１６の部品点数を削減することができ、低コスト化が可能となる。また発泡断熱材１４を充填後に冷蔵室１７内から送風機２５を取り付けることで、取り付けが容易に確実にできるようになり、組立性が向上するとともに信頼性が高まる。
【００２９】
また、保持部品２６の内部には、上下に開口穴２９および交流式送風機２５を固定する固定部２５ａを備え、前記保持部品の前部および側部は仕切り部１６の高さと略同一としているので、冷却器室内に送風機を収納する必要がなく、送風機の分だけ冷却器の占有スペースを小さくすることができ、その分貯蔵室の内容積を大きくすることができる。また、仕切り部高さも従来より低く設定することができ、仕切り部高さを設定する際の設計自由度を高めることができ、設計効率が向上する。
【００３０】
また、保持部品２６の上下周縁にはフランジ２６ａを有し、凹部１６ｃにおいて仕切り部１６および内箱１２とのシール面を形成しているので、発泡断熱材充填時に仕切り部材とのシールを容易に確実に安価に行うことができる。
【００３１】
また、保持部品２６の上方より組み込んで送風機２５からの冷気を冷蔵室１７と冷凍室１８へ供給するための風路構成部品２７を有し、風路構成部品２７は発泡スチロールで構成し、保持部品２６と風路構成部品２７との接触面をシール面３２としているので、各貯蔵室への風路構成のための省スペース化が可能となり、さらに貯蔵室の内容積を大きくすることができるとともに、シール面が発泡圧によって影響を受けず、平面を確保することができ、安定した冷却性能および組立作業性を実現することができる。
【００３２】
また、保持部品２６には送風機２５から出るリード線を引っ掛けて固定する引っ掛け部３３を形成しているので、リード線が送風機に巻き込まれるというようなことを防止するとともに、保持部品と一体で形成することにより、組立の簡略化、部品点数の削減を実現することができる。
【００３３】
なお、本実施の形態では、仕切り部１６内の断熱材１６ｂは発泡スチロールで構成したもので説明したが、樹脂製の内箱１２と鋼板製の外箱１３の間に発泡断熱材１４を充填する際に、同時に仕切り部１６内に発泡断熱材１４を充填してもよい。この場合、さらに組立の簡略化、部品点数の削減を実現することができるとともに、断熱箱体１５の構造強度を高めることができる。
【産業上の利用可能性】
【００３４】
以上のように、本発明にかかる送風機によって冷気を循環させる冷蔵庫は、部屋の仕切りを必要とする構造において、２部屋の仕切りだけに限らず、多部屋を有する冷凍冷蔵庫への適用もできる。
【図面の簡単な説明】
【００３５】
【図１】本発明の実施の形態１における冷蔵庫の断面図
【図２】本発明の実施の形態１における冷蔵庫の要部断面図
【図３】本発明の実施の形態１における冷蔵庫の要部斜視図
【図４】従来の冷蔵庫の断面図
【符号の説明】
【００３６】
１１  冷蔵庫本体
１２  内箱
１３  外箱
１４  発泡断熱材
１５  断熱箱体
１６  仕切り部
１７  冷蔵室
１８  冷凍室
２５  送風機
２５ａ  固定部
２６  保持部品
２６ａ  フランジ
２７  風路構成部品
２９  開口穴
３２  シール面
３３  引っ掛け部
【図１】
2006220386.tif 000003
【図２】
2006220386.tif 000004
【図３】
2006220386.tif 000005
【図４】
2006220386.tif 000006